(57)【要約】 【課題】  小型、軽量で低コストのコネクタを提供することを目的とする。【解決手段】  雌コネクタ１は、雌ハウジング２の端子収容孔２１内に収容された雌端子金具３を備えている。雌端子金具３は、雄端子金具５２と嵌合する接続部３１と、その後方に形成され電線４の絶縁被覆４２にかしめられるインシュレーションバレル３３を有している。雌ハウジング２のインシュレーションバレル３３を取り囲む後端部の内壁２１ｂは、接続部３１を収容する前方部位の内壁２１ｃよりも下方に広がり、大きく形成されているとともに、雌ハウジング２の下方外周面２６は、インシュレーションバレル３３を取り囲む部位において、下方に膨出した突出部２７を有している。【選択図】  図６
2006114287.tif 000002
【特許請求の範囲】
【請求項１】
ハウジング、および
前記ハウジングの端子収容孔内に収容され、相手側端子と嵌合する接続部と、前記接続部の後方に形成され、電線にかしめられるバレル部とを有する端子金具を備えたコネクタにおいて、
前記ハウジングの外周面は、前記端子金具のバレル部を取り囲む部位において、外方に膨出した突出部を有することを特徴とするコネクタ。
【請求項２】
前記突出部は、前記相手側コネクタとの嵌合を解除する時に、前記相手側コネクタから引き離すための引っ掛け部として使用することを特徴とする請求項１記載のコネクタ。
【発明の詳細な説明】
【技術分野】
【０００１】
本発明は、ハウジングの端子収容孔内に、端子金具が収容されたコネクタに関する。
【背景技術】
【０００２】
ハウジングの端子収容孔内に、電線に接続された端子金具が収容されたコネクタは広く知られている（例えば、特許文献１参照）。このコネクタを構成する端子金具は、その前方部に相手側端子に嵌合する接続部が形成され、後方部には電線にかしめられるバレル部が設けられている。一般的に、電線の絶縁被覆にかしめられるバレル部は、接続部よりもその径方向寸法が大きく形成されている。
【０００３】
一方、端子金具を収容するハウジングは、端子金具の外寸法に合わせて端子収容孔の内壁が形成されているため、その内壁において、端子金具の接続部と対向する部位と、バレル部と対向する部位との間には、接続部とバレル部の外寸法の差に応じた段差が生じている。このため、接続される電線の径が大きい端子金具、例えば、大電流用の端子金具を収容する場合には、その接続部とバレル部の外寸法の差が著しいため、内壁の段差も大きくなり、ハウジングの外周面を平坦にすれば、接続部を取り囲む部位が甚だ厚肉となり、ハウジングの重量化および成形材料の無駄による高コスト化につながることになる。
【特許文献１】特開平９−１５３３８６号公報（第３図）
【発明の開示】
【発明が解決しようとする課題】
【０００４】
本発明は上記のような事情に基づいて完成されたものであって、小型、軽量で低コストのコネクタを提供することを目的とする。
【課題を解決するための手段】
【０００５】
上記の目的を達成するための手段として、請求項１の発明は、ハウジング、および前記ハウジングの端子収容孔内に収容され、相手側端子と嵌合する接続部と、前記接続部の後方に形成され、電線にかしめられるバレル部とを有する端子金具を備えたコネクタにおいて、前記ハウジングの外周面は、前記端子金具のバレル部を取り囲む部位において、外方に膨出した突出部を有することを特徴とするコネクタとした。
【０００６】
請求項２の発明は、前記突出部は、前記相手側コネクタとの嵌合を解除する時に、前記相手側コネクタから引き離すための引っ掛け部として使用することを特徴とする請求項１記載のコネクタとした。
【発明の効果】
【０００７】
＜請求項１の発明＞
ハウジングの外周面は、端子金具のバレル部を取り囲む部位において、外方に膨出した突出部を有することにより、ハウジングの接続部と対向する部位とバレル部と対向する部位の肉厚を均一化でき、その小型、軽量化および低コスト化を実現できる。
【０００８】
＜請求項２の発明＞
突出部を、相手側コネクタとの嵌合を解除する時に、相手側コネクタから引き離すための引っ掛け部として使用することにより、ハウジングの外周面に特別に引っ掛け部を形成する必要がなく、より小型、軽量のコネクタとすることができる。
【発明を実施するための最良の形態】
【０００９】
本発明の実施形態を図１乃至図８によって説明する。説明中、図８の左方を雌コネクタ１の前方、右方を雄コネクタ５の前方とする。本発明を適用した雌コネクタ１は大電流用のコネクタであって、図６に示したように、合成樹脂材料によって一体成形された雌ハウジング２と、その端子収容孔２１内に収容された雌端子金具３を備えている。図５に示すように、雌端子金具３は導電性を有した金属板をプレス成形して形成され、後述する相手側端子である雄端子金具５２と嵌合する接続部３１が前方に設けられている。接続部３１の後方には、電線４の導電性を有する芯線４１にかしめられるワイヤーバレル３２が形成され、その更に後方には、電線４の絶縁被覆４２の外周にかしめられるインシュレーションバレル３３（本発明のバレル部に該当する）が設けられている。図から明らかなように、大電流用の電線４にかしめられるインシュレーションバレル３３の外径は、接続部３１の径方向の外寸よりもかなり大きくなっている。
【００１０】
図１に示すように、雌ハウジング２は略箱型に形成され、その前後方向に延びた端子収容孔２１内には、上方からランス２２が吊り下げられている。ランス２２は上下方向に撓み可能に形成されており、端子収容孔２１内に収容された雌端子金具３と係合することにより、その抜け止めを行っている。また、端子収容孔２１の前方を塞ぐ立壁には、雄端子金具５２が進入する端子挿入孔２３が形成されている。尚、端子収容孔２１の下面には、雌端子金具３がその収容時に係合する一対の端子ガイド２１ａが形成されている。
【００１１】
雌ハウジング２の上面部にはロックレバー２４が設けられており、この後端部には操作部２４ａが形成されるとともに、その中間部にはロック突部２４ｂが上方に突出している。ロックレバー２４は上下方向に撓み可能に形成されており、雌コネクタ１が相手側コネクタである雄コネクタ５と嵌合する時に、雄ハウジング５１と係合して、ロック状態とし双方の抜け止めを行う。更に、雌ハウジング２の上面部には、ロックレバー２４を取り囲むようにロックカバー２５がブリッジ状に設けられ、ロックレバー２４の操作部２４ａに不用意に他部材が触れることで、雌コネクタ１と雄コネクタ５との間のロック状態が解除されることを防いでいる。
【００１２】
図１に示すように、端子収容孔２１の下面内壁は、収容される雌端子金具３の外形状に合わせて形成されている。すなわち、インシュレーションバレル３３を取り囲む後端部の内壁２１ｂは、接続部３１を収容する前方部位の内壁２１ｃよりも下方に広がり、かなり大きく形成されており、内壁２１ｂと２１ｃは斜面にて連結されている。換言すれば、雌ハウジング２の下方外周面２６は、インシュレーションバレル３３を取り囲む部位において、外方（下方）に膨出した突出部２７を有している。これにより、図に示すように、雌ハウジング２の接続部３１を取り囲む部位と、インシュレーションバレル３３を取り囲む部位の肉厚は均一化されている。また、突出部２７の外周面２６に対する段差部分は、雄コネクタ５との嵌合を解除する時に、雌コネクタ１を雄コネクタ５から引き離すための、（例えば）作業者の指の引っ掛け部として使用される。
【００１３】
図７に示すように、雄コネクタ５は、合成樹脂材料にて一体成形された雄ハウジング５１と、雄ハウジング５１内に収容された雄端子金具５２を備えている。雄ハウジング５１は、後方に雄端子金具５２が収容される端子収容部５１ａを有し、その前方に筒状のフード部５１ｂが形成されている。また、フード部５１ｂの上面には、上述した雌ハウジング２のロック突部２４ｂと係合するロック孔５１ｃを有している。雄端子金具５２は導電性を有する金属材料にて形成され、その前方に形成された嵌合部５２ａをフード部５１ｂ内に突出させている。
【００１４】
次に、図５乃至図８に基づいて雌コネクタ１の組付け方法、および雄コネクタ５との嵌合方法について説明する。電線４の芯線４１にワイヤーバレル３２をかしめ、更に、絶縁被覆４２にインシュレーションバレル３３をかしめた雌端子金具３を、雌ハウジング２の端子収容孔２１内に後方より挿入していく。雌端子金具３の挿入によって、端子収容孔２１内のランス２２が接続部３１によって押圧され上方へと撓む。端子収容孔２１内への挿入が進行し、雌端子金具３の収容が完了すると、ランス２２が雌端子金具３の接続部３１に形成された、図示しない係合孔と嵌合して下方へと形状復帰し、雌端子金具３の抜け止めを行う。図６に示すように、雌端子金具３が端子収容孔２１内へ収容された状態において、接続部３１は端子収容孔２１の内壁２１ｃによって保持されている。一方、インシュレーションバレル３３は後端部の内壁２１ｂとの間に十分な間隔を有している。
【００１５】
次に、雌ハウジング２内に雌端子金具３が収容された雌コネクタ１を、雄コネクタ５のフード部５１ｂ内に挿入していく（図７示）。雌コネクタ１の雄コネクタ５への嵌合によって、雄端子金具５２の嵌合部５２ａが雌ハウジング２の挿入孔２３から進入し、雌端子金具３の接続部３１と嵌合する。また、雌コネクタ１が雄コネクタ５内に進入していくと、雌ハウジング２のロック突部２４ｂが雄ハウジング５１のフード部５１ｂに押圧され、ロックレバー２４が下方に撓み、ロック突部２４ｂがフード部５１ｂを乗越えた後、上方へ形状復帰してロック孔５１ｃと係合してロック状態となり、双方の抜け止めを行う。ロック状態にある雌コネクタ１を、雄コネクタ５から離脱させる時、ロックレバー２４の操作部２４ａを下方に押し下げて、ロック突部２４ｂとロック孔５１ｃの係合を外しながら、突出部２７の段差部分に指を掛け、雌コネクタ１を雄コネクタ５から後方へ引き離す。
【００１６】
本実施形態によれば、雌ハウジング２の下方外周面２６は、インシュレーションバレル３３を取り囲む部位において、下方に膨出した突出部２７を有していることにより、雌ハウジング２の接続部３１と対向する部位とインシュレーションバレル３３と対向する部位の肉厚を均一化でき、その軽量化および低コスト化を行うことができる。また、突出部２７を、雄コネクタ５との嵌合を解除する時に、雌コネクタ１を雄コネクタ５から引き離すための引っ掛け部として使用することにより、雌ハウジング２の外周面に特別に引っ掛け部を形成する必要がなく、より小型、軽量のコネクタ１とすることができる。
【００１７】
＜他の実施形態＞
本発明は上述の記載および図面によって説明した実施形態に限定されるものではなく、例えば次のような実施形態も本発明の技術的範囲に含まれ、さらに、以下の記載のもの以外にも要旨を逸脱しない範囲内で種々変更して実施することができる。
（１）本発明は雄コネクタに適用してもよい。
（２）本発明は大電流用のコネクタだけでなく、あらゆる種類、用途のコネクタに適用可能である。
（３）突出部とは別に、ハウジングの外周面に、相手側コネクタから引き抜く時の指の引っ掛け部を形成してもよい。
【図面の簡単な説明】
【００１８】
【図１】本実施形態による雌コネクタのハウジングの断面図である。
【図２】図１に示したハウジングの前方図である。
【図３】図１に示したハウジングの後方図である。
【図４】図１に示したハウジングの上面図である。
【図５】図１に示したハウジングに雌端子金具を収容する前の状態を示した断面図である。
【図６】本実施形態による雌コネクタの断面図である。
【図７】雌コネクタが雄コネクタと嵌合する前の状態を示した断面図である。
【図８】雌コネクタが雄コネクタと嵌合した状態を示した断面図である。
【符号の説明】
【００１９】
１…雌コネクタ
２…雌ハウジング
３…雌端子金具
４…電線
５…雄コネクタ
２１…端子収容孔
２６…雌ハウジングの下方外周面
２７…突出部
３１…接続部
３３…インシュレーションバレル
５１…雄ハウジング
５２…雄端子金具
【図１】
2006114287.tif 000003
【図２】
2006114287.tif 000004
【図３】
2006114287.tif 000005
【図４】
2006114287.tif 000006
【図５】
2006114287.tif 000007
【図６】
2006114287.tif 000008
【図７】
2006114287.tif 000009
【図８】
2006114287.tif 000010